(57)【要約】【課題】入力画面を入力画面以外の画面を表示する表示機器とは異なる表示機器に表示させるための技術を実現する。【解決手段】表示対象画面が入力画面であるか否かを判定する判定部と、前記表示対象画面が入力画面ではないと判定された場合、第１の表示機器により前記表示対象画面が表示されるように制御し、前記表示対象画面が入力画面であると判定された場合、前記第１の表示機器とは異なる第２の表示機器により前記表示対象画面と同一または異なる入力画面が表示されるように制御する表示制御部と、を備える、表示制御装置が提供される。【選択図】図１
2013210867.tif 000002
【特許請求の範囲】
【請求項１】
表示対象画面が入力画面であるか否かを判定する判定部と、
前記表示対象画面が入力画面ではないと判定された場合、第１の表示機器により前記表示対象画面が表示されるように制御し、前記表示対象画面が入力画面であると判定された場合、前記第１の表示機器とは異なる第２の表示機器により前記表示対象画面と同一または異なる入力画面が表示されるように制御する表示制御部と、
を備える、表示制御装置。
【請求項２】
前記判定部は、前記表示対象画面が認証情報を入力するための認証画面であるか否かを判定する、
請求項１に記載の表示制御装置。
【請求項３】
前記表示制御装置は、
前記第２の表示機器の候補が複数存在する場合、当該複数の候補から前記第２の表示機器を選択する選択部を備える、
請求項１記載の表示制御装置。
【請求項４】
前記選択部は、前記第１の表示機器に関連付けられているユーザ識別情報と一致するユーザ識別情報に関連付けられている表示機器が存在する場合、当該表示機器を前記第２の表示機器として選択する、
請求項３に記載の表示制御装置。
【請求項５】
前記選択部は、事前に設定された情報に基づいて前記複数の候補から前記第２の表示機器を選択する、
請求項３に記載の表示制御装置。
【請求項６】
前記選択部は、前記複数の候補それぞれの機器情報に基づいて前記複数の候補から前記第２の表示機器を選択する、
請求項３に記載の表示制御装置。
【請求項７】
前記選択部は、前記複数の候補それぞれにおいて起動されているアプリケーションの情報に基づいて前記複数の候補から前記第２の表示機器を選択する、
請求項３に記載の表示制御装置。
【請求項８】
前記選択部は、前記複数の候補の中に起動中の表示機器が存在する場合、当該表示機器を前記第２の表示機器として選択する、
請求項３に記載の表示制御装置。
【請求項９】
前記表示制御部は、前記第２の表示機器において前記入力画面に対する入力を行うためのアプリケーションが起動されていない場合に、前記アプリケーションの起動を促すための情報が前記第２の表示機器に表示されるように制御する、
請求項１に記載の表示制御装置。
【請求項１０】
前記表示制御部は、前記表示対象画面が入力画面であると判定された場合、前記第１の表示機器への前記表示対象画面の表示を制限する、
請求項１に記載の表示制御装置。
【請求項１１】
前記表示制御部は、前記第２の表示機器において前記入力画面に対する入力がなされない時間が所定時間を超えた場合には、前記第１の表示機器に前記表示対象画面が表示されるように制御する、
請求項１０に記載の表示制御装置。
【請求項１２】
前記表示制御装置は、
前記第１の表示機器における前記表示対象画面または前記第２の表示機器における前記入力画面に対する入力結果に基づいて処理を実行する処理実行部を備える、
請求項１に記載の表示制御装置。
【請求項１３】
前記表示制御部は、前記入力画面を表示するための指示を前記第２の表示機器に対して通知することによって、前記第２の表示機器により前記入力画面が表示されるように制御する、
請求項１に記載の表示制御装置。
【請求項１４】
前記表示制御部は、前記入力画面を表示するための指示として前記表示対象画面を前記第２の表示機器に対して通知する、
請求項１３に記載の表示制御装置。
【請求項１５】
前記表示制御部は、前記表示対象画面に存在する入力エリアを抽出し、前記入力画面を表示するための指示として前記入力エリアを前記第２の表示機器に対して通知する、
請求項１３に記載の表示制御装置。
【請求項１６】
表示対象画面が入力画面であるか否かを判定することと、
前記表示対象画面が入力画面ではないと判定された場合、第１の表示機器により前記表示対象画面が表示されるように制御し、前記表示対象画面が入力画面であると判定された場合、前記第１の表示機器とは異なる第２の表示機器により前記表示対象画面と同一または異なる入力画面が表示されるように制御することと、
を含む、表示制御方法。
【請求項１７】
コンピュータを、
表示対象画面が入力画面であるか否かを判定する判定部と、
前記表示対象画面が入力画面ではないと判定された場合、第１の表示機器により前記表示対象画面が表示されるように制御し、前記表示対象画面が入力画面であると判定された場合、前記第１の表示機器とは異なる第２の表示機器により前記表示対象画面と同一または異なる入力画面が表示されるように制御する表示制御部と、
を備える表示制御装置として機能させるためのプログラム。
【請求項１８】
表示対象画面が入力画面であると表示制御装置により判定された場合、前記表示制御装置から前記表示対象画面と同一または異なる入力画面を表示するための指示を受信する受信部と、
前記受信部により前記入力画面を表示するための指示が受信された場合、前記入力画面を表示する表示部と、
を備える、表示機器。
【発明の詳細な説明】
【技術分野】
【０００１】
本開示は、表示制御装置、表示制御方法、プログラムおよび表示機器に関する。
【背景技術】
【０００２】
近年、テレビジョン装置などの表示機器のサイズが大型化している。このような大型の表示機器は、表示内容を大きなサイズによって表示することが可能であるため、例えば、複数の閲覧者が同一の表示内容を同時に閲覧する場合に適している。しかし、操作者は、大型の表示機器とは別に設けられている小型の表示機器の表示内容を閲覧しながら大型の表示機器の表示内容を制御するための操作を入力する場合がある。
【０００３】
例えば、大型の表示機器の表示内容と小型の表示機器の表示内容とが連動していれば、操作者は、大型の表示機器の代わりに小型の表示機器を閲覧することによって表示内容を確認することができる。しかし、例えば、表示内容にパスワードの入力画面が含まれている場合などにおいては、大型の表示機器に表示内容が表示されることによってパスワードが操作者以外の閲覧者に知られてしまう。
【０００４】
そこで、例えば、制御装置により小型の表示機器と大型の表示機器との双方の表示内容を制御する技術が開示されている（例えば、特許文献１参照）。かかる技術によれば、例えば、表示内容にパスワードの入力画面が含まれている場合には、大型の表示機器に表示内容が表示されてしまうのを制限することができる。このような制御により、パスワードが操作者以外の閲覧者に知られてしまう状況を回避することができる。
【先行技術文献】
【特許文献】
【０００５】
【特許文献１】特開２００５−３４５５４３号公報
【発明の概要】
【発明が解決しようとする課題】
【０００６】
しかしながら、上記した特許文献１により開示された技術では、大型の表示機器と小型の表示機器との双方に表示内容が表示されている状態を基本的な状態としているが、例えば、操作者も大型の表示機器によって表示されている表示内容を閲覧している場合がある。その場合には、小型の表示機器には表示内容が表示されなくてもよい場合が存在する。
【０００７】
したがって、入力画面を入力画面以外の画面を表示する表示機器とは異なる表示機器に表示させるための技術が実現されることが望ましい。
【課題を解決するための手段】
【０００８】
本開示によれば、表示対象画面が入力画面であるか否かを判定する判定部と、前記表示対象画面が入力画面ではないと判定された場合、第１の表示機器により前記表示対象画面が表示されるように制御し、前記表示対象画面が入力画面であると判定された場合、前記第１の表示機器とは異なる第２の表示機器により前記表示対象画面と同一または異なる入力画面が表示されるように制御する表示制御部と、を備える、表示制御装置が提供される。
【０００９】
また、本開示によれば、表示対象画面が入力画面であるか否かを判定することと、前記表示対象画面が入力画面ではないと判定された場合、第１の表示機器により前記表示対象画面が表示されるように制御し、前記表示対象画面が入力画面であると判定された場合、前記第１の表示機器とは異なる第２の表示機器により前記表示対象画面と同一または異なる入力画面が表示されるように制御することと、を含む、表示制御方法が提供される。
【００１０】
また、本開示によれば、コンピュータを、表示対象画面が入力画面であるか否かを判定する判定部と、前記表示対象画面が入力画面ではないと判定された場合、第１の表示機器により前記表示対象画面が表示されるように制御し、前記表示対象画面が入力画面であると判定された場合、前記第１の表示機器とは異なる第２の表示機器により前記表示対象画面と同一または異なる入力画面が表示されるように制御する表示制御部と、を備える表示制御装置として機能させるためのプログラムが提供される。
【００１１】
また、本開示によれば、表示対象画面が入力画面であると表示制御装置により判定された場合、前記表示制御装置から前記表示対象画面と同一または異なる入力画面を表示するための指示を受信する受信部と、前記受信部により前記入力画面を表示するための指示が受信された場合、前記入力画面を表示する表示部と、を備える、表示機器が提供される。
【発明の効果】
【００１２】
以上説明したように本開示によれば、入力画面を入力画面以外の画面を表示する表示機器とは異なる表示機器に表示させることが可能である。
【図面の簡単な説明】
【００１３】
【図１】第１の実施形態に係る表示制御システムの構成例を示す図である。
【図２】第１の実施形態に係る表示制御装置の機能構成例を示す図である。
【図３】第１の実施形態に係る表示機器の機能構成例を示す図である。
【図４】第１の実施形態に係る表示制御装置が有する機能の一例を示す図である。
【図５】第１の実施形態に係る表示制御装置が有する機能の一例を示す図である。
【図６】第１の実施形態に係る表示制御装置が有する機能の一例を示す図である。
【図７】第１の実施形態に係る表示制御装置が有する機能の一例を示す図である。
【図８】第１の実施形態に係る表示制御装置の動作例を示す図である。
【図９】第２の実施形態に係る表示制御システムの構成例を示す図である。
【図１０】第２の実施形態に係る表示制御装置の機能構成例を示す図である。
【図１１】第２の実施形態に係る選択部が有する機能の一例を示す図である。
【図１２】第２の実施形態に係る選択部が有する機能の一例を示す図である。
【図１３】第２の実施形態に係る選択部が有する機能の一例を示す図である。
【図１４】第２の実施形態に係る表示制御装置の動作例を示す図である。
【発明を実施するための形態】
【００１４】
以下に添付図面を参照しながら、本開示の好適な実施の形態について詳細に説明する。なお、本明細書および図面において、実質的に同一の機能構成を有する構成要素については、同一の符号を付することにより重複説明を省略する。
【００１５】
また、本明細書および図面において、実質的に同一の機能構成を有する複数の構成要素を、同一の符号の後に異なるアルファベットを付して区別する場合もある。ただし、実質的に同一の機能構成を有する複数の構成要素の各々を特に区別する必要がない場合、同一符号のみを付する。
【００１６】
また、以下に示す項目順序に従って当該「発明を実施するための形態」を説明する。
１．第１の実施形態
１−１．表示制御システムの構成例
１−２．表示制御装置の機能構成例
１−３．表示機器の機能構成例
１−４．表示制御装置の機能の説明
１−５．表示制御装置の動作例
２．第２の実施形態
２−１．表示制御システムの構成例
２−２．表示制御装置の機能構成例
２−３．表示制御装置の機能の説明
２−４．表示制御装置の動作例
３．むすび
【００１７】
＜＜１．第１の実施形態＞＞
まず、本開示の第１の実施形態について順次詳細に説明する。
【００１８】
＜１−１．表示制御システムの構成例＞
まず、第１の実施形態に係る表示制御システム１Ａの構成例について説明する。図１は、第１の実施形態に係る表示制御システム１Ａの構成例を示す図である。
【００１９】
図１に示したように、第１の実施形態に係る表示制御システム１Ａは、一例として、表示制御装置１０Ａと表示機器２０Ａと表示機器２０Ｂとを備える。表示制御装置１０Ａは、ネットワーク３０に接続されており、ネットワーク３０を介して図示しないサーバ（例えば、ウェブサーバなど）と相互に通信可能にされている。ただし、図１に示した構成は一例に過ぎない。例えば、図１に示した例では、表示制御装置１０Ａがネットワーク３０に接続されているが、表示制御装置１０Ａはネットワーク３０に接続されていなくても。また、ネットワーク３０は、インターネットであってもよいし、無線ＬＡＮであってもよいし、他のネットワークであってもよい。
【００２０】
表示制御装置１０Ａは、表示対象画面を取得する機能を有している。例えば、表示制御装置１０Ａは、ネットワーク３０に接続された図示しないサーバ（例えば、ウェブサーバなど）から表示対象画面を取得するが、表示制御装置１０Ａは表示対象画面をどこから取得してもよい。表示制御装置１０Ａは、取得した表示対象画面を表示機器２０Ａによって表示されるように表示機器２０Ａを制御する。なお、図１に示した例では、表示制御装置１０Ａは、表示機器２０Ａとは別体に構成されているが、表示機器２０Ａと一体化されていてもよい。
【００２１】
表示機器２０Ａは、表示制御装置１０Ａによる制御に従って表示対象画面を表示する機能を有する。表示機器２０Ａは、例えば、表示機器２０Ｂの表示面よりも大きな表示面を有しており、その表示面に表示対象画面を表示させることができる。したがって、表示機器２０Ａによって表示された表示対象画面は、例えば、図１に示した例のように、複数の閲覧者によって閲覧されるのに適している。表示機器２０Ａは、例えば、テレビジョン装置であってもよいし、ディスプレイ装置であってもよい。
【００２２】
表示機器２０Ｂは、操作者によって操作される。例えば、表示機器２０Ｂは、表示機器２０Ａの表示対象画面を閲覧する複数の閲覧者の中の誰かが操作者となって操作するために使用される。しかし、表示機器２０Ｂの操作者は、表示機器２０Ａの表示対象画面を閲覧していなくてもよい。表示機器２０Ｂは、例えば、操作者以外の者にその表示面を閲覧されずに操作者が操作を行うことが可能である。表示機器２０Ｂは、例えば、スマートフォンであってもよいし、携帯電話であってもよい。
【００２３】
ここで、図１に示したように、表示対象画面が入力画面２５１のように入力エリア２５２を有する画面である場合には、入力エリア２５２に、ユーザＩＤ、パスワードなどといった秘匿情報が入力される。パスワードが直接表示されない場合であっても、パスワードの文字数が分かるような所定の文字（例えば、「＊」）が表示されてしまう場合もある。このような秘匿情報が入力された場合には、秘匿情報が意図しないところで閲覧者に見られてしまう可能性がある。したがって、本開示の第１の実施形態では、表示機器２０Ａにおいて表示しようとした表示対象画面が入力画面である場合に、表示機器２０Ｂに入力画面を表示させるための技術を提案する。
【００２４】
以上、第１の実施形態に係る表示制御システム１Ａの構成例について説明した。続いて、第１の実施形態に係る表示制御装置１０Ａの機能構成例について説明する。
【００２５】
＜１−２．表示制御装置の機能構成例＞
図２は、第１の実施形態に係る表示制御装置１０Ａの機能構成例を示す図である。図２に示したように、表示制御装置１０Ａは、制御部１１０Ａ、通信部１２０および記憶部１３０を備える。また、制御部１１０Ａは、判定部１１１、表示制御部１１３および処理実行部１１４を備える。
【００２６】
制御部１１０Ａは、ＣＰＵ（Ｃｅｎｔｒａｌ  Ｐｒｏｃｅｓｓｉｎｇ  Ｕｎｉｔ）またはＤＳＰ（Ｄｉｇｉｔａｌ  Ｓｉｇｎａｌ  Ｐｒｏｃｅｓｓｏｒ）などのプロセッサに相当する。制御部１１０Ａは、記憶部１３０または他の記憶媒体に記憶されるプログラムを実行することにより、制御部１１０Ａが有する様々な機能を発揮する。判定部１１１、表示制御部１１３および処理実行部１１４の各機能については後に説明する。
【００２７】
通信部１２０は、例えば、ネットワーク３０に接続するための通信デバイス等で構成された通信インタフェースである。通信部１２０は、例えば、ネットワーク３０を介して図示しないサーバ（例えば、ウェブサーバなど）と通信を行うことが可能である。また、通信部１２０は、有線または無線により表示機器２０Ａと通信を行うことが可能である。また、通信部１２０は、有線または無線により表示機器２０Ｂと通信を行うことが可能である。
【００２８】
記憶部１３０は、半導体メモリまたはハードディスクなどの記憶媒体を用いて、制御部１１０Ａによる処理のためのプログラムおよびデータを記憶する。例えば、記憶部１３０は、制御部１１０Ａにより実行されるプログラムを記憶することができる。また、例えば、記憶部１３０は、プログラムによって使用される設定情報を記憶することもできる。図２に示した例では、記憶部１３０は表示制御装置１０Ａと一体化されているが、記憶部１３０は表示制御装置１０Ａと別体に構成されていてもよい。
【００２９】
以上、第１の実施形態に係る表示制御装置１０Ａの機能構成例について説明した。続いて、第１の実施形態に係る表示機器２０の機能構成例について説明する。
【００３０】
＜１−３．表示機器の機能構成例＞
図３は、第１の実施形態に係る表示機器２０の機能構成例を示す図である。図３に示したように、表示機器２０は、制御部２１０、入力部２２０、通信部２３０、記憶部２４０および表示部２５０を備える。
【００３１】
制御部２１０は、ＣＰＵまたはＤＳＰなどのプロセッサに相当する。制御部２１０は、記憶部２４０または他の記憶媒体に記憶されるプログラムを実行することにより、制御部２１０が有する様々な機能を発揮する。
【００３２】
入力部２２０は、操作者からの操作を受け付ける機能を有する。入力部２２０は、操作者からの操作を操作情報として制御部２１０に出力する。操作情報は制御部２１０によって、例えば、プログラムの実行に用いられる。図３に示した例では、入力部２２０は表示機器２０と一体化されているが、入力部２２０は表示機器２０と別体に構成されていてもよい。
【００３３】
通信部２３０は、例えば、有線または無線により表示制御装置１０Ａと通信を行うことが可能である。また、通信部２３０は、例えば、ネットワーク３０を介して図示しないサーバ（例えば、ウェブサーバなど）と通信を行うことが可能であってもよい。また、通信部２３０は、直接的に他の表示機器２０と通信を行うことが可能であってもよい。
【００３４】
記憶部２４０は、半導体メモリまたはハードディスクなどの記憶媒体を用いて、制御部２１０による処理のためのプログラムおよびデータを記憶する。例えば、記憶部２４０は、制御部２１０により実行されるプログラムを記憶することができる。また、例えば、記憶部２４０は、プログラムによって使用される設定情報を記憶することもできる。図３に示した例では、記憶部２４０は表示機器２０と一体化されているが、記憶部２４０は表示機器２０と別体に構成されていてもよい。
【００３５】
表示部２５０は、表示制御装置１０Ａの制御部１１０による制御に従って画面を表示する機能を有する。例えば、表示部２５０は、記憶部２４０によって記憶されている画面を表示してもよいし、表示制御装置１０Ａから通知された画面を表示してもよいし、他の表示機器２０から通知された画面を表示してもよい。
【００３６】
以上、第１の実施形態に係る表示機器２０の機能構成例について説明した。以下では、第１の実施形態に係る表示制御装置１０Ａが有する機能の詳細について説明する。
【００３７】
＜１−４．表示制御装置の機能の説明＞
図４は、第１の実施形態に係る表示制御装置１０Ａが有する機能の一例を示す図である。まず、表示制御装置１０Ａは、表示対象画面を取得する。なお、上記したように、表示制御装置１０Ａは、表示対象画面は、どこから取得されてもよい。例えば、図示しないサーバ（例えば、ウェブサーバ）から表示対象画面が取得される場合には、表示対象画面は、ウェブページであってもよい。ウェブページは、例えば、ＨＴＭＬ（ＨｙｐｅｒＴｅｘｔ  Ｍａｒｋｕｐ  Ｌａｎｇｕａｇｅ）ファイル、ＸＨＴＭＬ（Ｅｘｔｅｎｓｉｂｌｅ  ＨｙｐｅｒＴｅｘｔ  Ｍａｒｋｕｐ  Ｌａｎｇｕａｇｅ）ファイルなどであってもよい。
【００３８】
続いて、判定部１１１は、取得された表示対象画面が入力画面であるか否かを判定する。表示対象画面が入力画面か否かはどのように判定されてもよい。例えば、入力画面に入力欄が含まれている場合に、表示対象画面が入力画面であると判定してもよい。判定部１１１によって判定される入力画面は、ユーザが認証情報を入力するための認証画面であってもよい。認証画面は、秘匿性が高いことが予想されるからである。表示対象画面が認証画面であるか否かは、例えば、表示対象画面に所定のタグ（例えば、＜ｉｎｐｕｔ  ｔｙｐｅ＝”ｈｉｄｄｅｎ”＞）が含まれているか否かによって判定され得る。
【００３９】
図４に示した例においては、表示対象画面として入力画面２５１が表示制御装置１０Ａにより取得されている。したがって、判定部１１１は、取得された入力画面２５１が入力画面か否かを判定し、入力画面２５１が入力画面であると判定している。入力画面２５１は、認証画面の一例であり、入力エリア２５２を含んでいる。入力エリア２５２には、ユーザＩＤの入力欄や、パスワードの入力欄が含まれているが、入力エリア２５２に含まれる入力欄は、これらの入力欄に限定されない。
【００４０】
表示制御部１１３は、判定部１１１により表示対象画面が入力画面ではないと判定された場合、表示機器２０Ａにより表示対象画面が表示されるように制御する。一方、表示制御部１１３は、表示対象画面が入力画面であると判定された場合、表示機器２０Ａとは異なる表示機器２０Ｂにより表示対象画面と同一または異なる入力画面が表示されるように制御すればよい。
【００４１】
表示制御装置１０Ａから表示対象画面と同一または異なる入力画面を表示するための指示が通知された場合、表示機器２０Ｂの通信部２３０は、当該指示を表示制御装置１０Ａから受信する。表示機器２０Ｂの表示部２５０は、通信部２３０により表示対象画面と同一または異なる入力画面を表示するための指示が受信された場合、当該入力画面を表示する。
【００４２】
図４に示した例において、判定部１１１は、入力画面２５１が入力画面であると判定しているため、表示制御部１１３は、入力画面２５１と異なる入力画面２５３を表示するための指示を表示機器２０Ｂに対して通知している。表示制御部１１３は、このように表示指示を表示機器２０Ｂに通知することによって、表示機器２０Ｂにより入力画面２５３が表示されるように制御することができる。
【００４３】
図４に示した例では、入力画面２５３が入力エリア２５４を含んでおり、入力エリア２５４には、ユーザＩＤの入力欄や、暗証番号の入力欄が含まれている。しかし、入力エリア２５４に含まれる入力欄は、これらの入力欄に限定されない。なお、この例においては、入力画面２５１と入力画面２５３とは異なる入力画面である場合を想定している。ただし、入力画面２５１の入力欄の数と入力画面２５３の入力欄の数とは、同一となるように表示制御部１１３により制御されるとよい。また、入力画面２５１と入力画面２５３とは同一であってもよい。
【００４４】
なお、図４に示した例では、表示制御部１１３は、表示機器２０Ｂに入力画面２５３が表示されるように制御するとともに、表示機器２０Ａにも入力画面２５１が表示されるように制御している。このように制御された場合には、入力画面２５１に対する入力を行うことも可能であり、入力画面２５３に対する入力を行うことも可能である。例えば、操作者は、自分以外の閲覧者に入力結果を見られたくない場合には、表示機器２０Ｂの入力部２２０を介して入力画面２５３に対して入力を行うことが予想される。一方、例えば、操作者は、自分以外の閲覧者に入力結果を見られてもよい場合には、表示機器２０Ａの入力部２２０を介して入力画面２５１に対して入力を行うことが予想される。
【００４５】
続いて、処理実行部１１４は、入力画面２５１または入力画面２５３に対する入力結果に基づいて処理を実行する。例えば、処理実行部１１４は、入力画面２５１に対する入力結果が表示機器２０Ａから取得された場合には、入力画面２５１に対する入力結果に基づいて処理を実行すればよい。また、例えば、処理実行部１１４は、入力エリア２５２に対する入力結果が表示機器２０Ｂから取得された場合には、入力画面２５３に対する入力結果に基づいて処理を実行すればよい。
【００４６】
処理実行部１１４により実行される処理は特に限定されない。例えば、処理実行部１１４は、入力結果が表示対象画面を送信した図示しないサーバ（例えば、ウェブサーバ）に対して送信されるように制御すればよい。入力画面２５１または入力画面２５３に対する入力結果が取得された場合には、入力結果に対する認証処理を当該サーバに実行させてもよい。
【００４７】
また、処理実行部１１４は、入力画面２５１に対する入力結果と入力画面２５３に対する入力結果との双方が取得された場合には、いずれか一方の入力結果を選択し、選択した入力結果に基づいて処理を実行してもよい。どちらの入力結果を選択するかは、あらかじめ決められていてもよいし、より早く取得された入力結果を選択してもよい。
【００４８】
なお、表示機器２０Ｂにおいては、入力画面２５３に対する入力を行うためのアプリケーションが起動されていない場合には、入力画面２５３に対する入力結果が表示制御装置１０Ａに送信されないことが予想される。したがって、そのような場合、表示制御部１１３は、入力画面２５３に対する入力を行うためのアプリケーションの起動を促すための情報が表示機器２０Ｂに表示されるように制御すればよい。
【００４９】
図４に示したような構成によれば、入力画面を入力画面以外の画面を表示する表示機器２０Ａとは異なる表示機器２０Ｂに表示させるための技術が実現される。したがって、操作者は、例えば、自分以外の閲覧者に入力結果を見られたくない場合には、表示機器２０Ｂによって表示された入力画面に対して入力を行うことが可能となる。
【００５０】
図５は、第１の実施形態に係る表示制御装置１０Ａが有する機能の一例を示す図である。図５に示した例のうち、図４に示した例と異なる点について主に説明する。すなわち、図５に示した例において、表示制御部１１３が、入力画面２５１を表示機器２０Ｂに対して通知する点が図４に示した例と異なっている。表示機器２０Ｂにおいては、通知された入力画面２５１が表示される。
【００５１】
図５に示したような構成によれば、表示制御装置１０Ａによって取得された入力画面２５１が表示機器２０Ｂに表示されるため、表示機器２０Ｂに表示される入力画面に対して入力を行う操作者に与える違和感を低減できることが期待される。なお、この表示機器２０Ｂにおいて表示される入力画面２５１のサイズは、表示制御部１１３または表示機器２０Ｂによって縮小されてもよい。
【００５２】
図６は、第１の実施形態に係る表示制御装置１０Ａが有する機能の一例を示す図である。図６に示した例のうち、図５に示した例と異なる点について主に説明する。すなわち、図６に示した例において、表示制御部１１３が、入力画面２５１に存在する入力エリア２５２を抽出し、入力エリア２５２を表示機器２０Ｂに対して通知する点が図５に示した例と異なっている。表示機器２０Ｂにおいては、通知された入力エリア２５２が表示される。
【００５３】
図６に示したような構成によれば、表示制御装置１０Ａによって取得された入力画面２５１に含まれる入力エリア２５２が表示機器２０Ｂに表示されるため、表示機器２０Ｂに通知されるデータのサイズを低減できることが期待される。なお、この表示機器２０Ｂにおいて表示される入力エリア２５２のサイズは、表示制御部１１３または表示機器２０Ｂによって縮小されてもよい。
【００５４】
図７は、第１の実施形態に係る表示制御装置１０Ａが有する機能の一例を示す図である。図７に示した例のうち、図４に示した例と異なる点について主に説明する。すなわち、図７に示した例において、表示制御部１１３が、表示対象画面が入力画面２５１であると判定された場合、表示機器２０Ａへの表示対象画面の表示を制限する点が図４に示した例と異なっている。例えば、表示制御部１１３は、表示機器２０Ａへの表示対象画面の表示を禁止してもよい。
【００５５】
また、このように表示機器２０Ａへの表示対象画面の表示が制限された場合、入力画面２５３に対する入力が行われず、入力結果が表示機器２０Ｂから所定時間を超えても取得されない場合も想定される。したがって、表示制御部１１３は、入力画面２５３に対する入力がなされない時間が所定時間を超えた場合には、表示機器２０Ａに表示対象画面が表示されるように制御してもよい。
【００５６】
図７に示したような構成によれば、表示機器２０Ａへの入力画面２５１の表示を制限することができるため、例えば、入力画面２５１が閲覧されないようにすることができる。また、表示機器２０Ｂの入力画面２５３への入力を行うことができない場合などには、表示機器２０Ａに入力画面２５１を表示させることによって、入力画面２５１への入力を行わせることも可能である。
【００５７】
以上、第１の実施形態に係る表示制御装置１０Ａが有する機能の詳細について説明した。続いて、以下では、第１の実施形態に係る表示制御装置１０Ａの動作例について説明する。
【００５８】
＜１−５．表示制御装置の動作例＞
図８は、第１の実施形態に係る表示制御装置１０Ａの動作例を図である。なお、図８に示す動作は、第１の実施形態に係る表示制御装置１０Ａの動作の一例を示したに過ぎないため、第１の実施形態に係る表示制御装置１０Ａの動作は、図８に示した動作に限定されない。
【００５９】
図８に示すように、まず、判定部１１１は、表示対象画面を取得すると（Ｓ１１）、表示対象画面が入力画面であるか否かを判定する（Ｓ１２）。上記したように、入力画面は認証画面であってもよい。表示制御部１１３は、表示対象画面が入力画面ではないと判定された場合（Ｓ１２で「Ｎｏ」）、表示対象画面を表示機器２０Ａに通知する（Ｓ１３）。このように、表示対象画面を表示機器２０Ａに通知することによって、表示制御部１１３は、表示機器２０Ａにより表示対象画面が表示されるように制御することができる。
【００６０】
一方、表示制御部１１３は、表示対象画面が入力画面であると判定された場合（Ｓ１２で「Ｙｅｓ」）、表示対象画面と同一または異なる入力画面を表示するための表示指示を表示機器２０Ａとは異なる表示機器２０Ｂに通知する（Ｓ１４）。上記したように、表示指示は、表示対象画面自体であってもよいし、表示対象画面から抽出された入力エリアであってもよいし、他の指示であってもよい。このように、表示指示を表示機器２０Ｂに通知することによって、表示制御部１１３は、表示機器２０Ｂにより表示対象画面と同一または異なる入力画面が表示されるように制御することができる。
【００６１】
処理実行部１１４は、表示機器２０Ａによって表示された表示対象画面または表示機器２０Ｂによって表示された入力画面に対する入力結果を取得すると（Ｓ１５）、入力結果に基づいて、処理を実行する（Ｓ１６）。上記したように、処理実行部１１４は、表示対象画面に対する入力結果と入力画面に対する入力結果との双方が取得された場合には、いずれか一方の入力結果を選択し、選択した入力結果に基づいて処理を実行してもよい。
【００６２】
以上に示したような動作によれば、表示機器２０Ａが入力画面以外の画面を表示する場合において、表示対象画面が入力画面である場合、表示機器２０Ａとは異なる表示機器２０Ｂに表示対象画面と同一または異なる入力画面を表示させることが可能である。
【００６３】
以上、第１の実施形態について説明した。
【００６４】
＜＜２．第２の実施形態＞＞
続いて、第２の実施形態について説明する。第１の実施形態と第２の実施形態とは、表示制御装置１０Ｂの機能が表示制御装置１０Ａの機能と異なる点において主に相違する。したがって、以下の第２の実施形態では、表示制御装置１０Ｂの機能構成例について主に説明する。
【００６５】
＜２−１．表示制御システムの構成例＞
図９は、第２の実施形態に係る表示制御システム１Ｂの構成例を示す図である。図９に示したように、第２の実施形態に係る表示制御システム１Ｂは、一例として、表示制御装置１０Ｂと表示機器２０Ａと表示機器２０Ｂの候補としての表示機器２０Ｂ−１、表示機器２０Ｂ−２および表示機器２０Ｂ−３とを備える。図９に示した例では、表示機器２０Ｂの候補が３台であるが、表示機器２０Ｂの候補の数は特に限定されない。
【００６６】
以上、第２の実施形態に係る表示制御システム１Ｂの構成例について説明した。続いて、第２の実施形態に係る表示制御装置１０Ｂの機能構成例について説明する。
【００６７】
＜２−２．表示制御装置の機能構成例＞
図１０は、第２の実施形態に係る表示制御装置１０Ｂの機能構成例を示す図である。図１０に示したように、表示制御装置１０Ｂは、制御部１１０Ｂ、通信部１２０および記憶部１３０を備える。また、制御部１１０Ｂは、判定部１１１、表示制御部１１３および処理実行部１１４を備える。表示制御装置１０Ｂの制御部１１０Ｂは、選択部１１２を備える点において、表示制御装置１０Ａの制御部１１０Ａと異なる。
【００６８】
第１の実施形態においては、表示機器２０Ｂがあらかじめ決められている例について説明した。第２の実施形態では、表示機器２０Ｂの候補が複数存在する場合に、当該複数の候補から表示機器２０Ｂを選択する。すなわち、選択部１１２は、表示機器２０Ｂの候補が複数存在する場合、当該複数の候補から表示機器２０Ｂを選択する機能を有する。当該複数の候補から入力画面の表示に適した表示機器２０Ｂが選択されることが望ましいからである。以下では、選択部１１２が有する機能の例について詳細に説明する。
【００６９】
＜２−３．表示制御装置の機能の説明＞
図１１は、第２の実施形態に係る選択部１１２が有する機能の一例を示す図である。特に、図１１には、選択部１１２は、表示機器２０Ａに関連付けられているユーザＩＤと一致するユーザＩＤに関連付けられている表示機器が存在する場合、当該表示機器を表示機器２０Ｂとして選択する例について示されている。
【００７０】
図１１に示した例では、表示機器２０Ａに関連付けられているユーザＩＤが「ＸＹＺ」であり、表示機器２０Ｂ−１に関連付けられているユーザＩＤが「ＸＹＺ」であるため、表示機器２０Ａに関連付けられているユーザＩＤと表示機器２０Ｂ−１に関連付けられているユーザＩＤとが一致している。したがって、この例では、選択部１１２は、表示機器２０Ｂ−１を表示機器２０Ｂとして選択する。
【００７１】
このような選択がなされる理由は以下の通りである。すなわち、複数の視聴者が表示機器２０Ａを閲覧している場合であっても、表示機器２０Ａのユーザ自身が入力画面に対する入力を行う場合がよくあると考えられる。そのため、このように、表示機器２０Ａに関連付けられているユーザＩＤと一致するユーザＩＤに関連付けられている表示機器が表示機器２０Ｂとして選択されれば、より適した表示機器に入力画面を表示させることが可能になる。
【００７２】
図１２は、第２の実施形態に係る選択部１１２が有する機能の一例を示す図である。特に、図１２には、選択部１１２が、複数の候補それぞれの機器情報に基づいて複数の候補から表示機器２０Ｂを選択する例について示されている。図１２に示した例のように、機器情報は、例えば、機器の種類を示す情報であってもよい。また、機器情報は、機器の型番であってもよい。
【００７３】
図１２に示した例では、表示機器２０Ｂ−１の機器情報が「スマートフォン」であり、表示機器２０Ｂ−２の機器情報が「レコーダ」であり、表示機器２０Ｂ−３の機器情報が「テレビジョン装置」である。したがって、この例では、選択部１１２は、入力画面の表示に適している「スマートフォン」が機器情報の表示機器２０Ｂ−１を表示機器２０Ｂとして選択する。
【００７４】
このような選択がなされる理由は以下の通りである。すなわち、入力画面の表示に適している機器と適していない機器があると考えられる。例えば、「テレビジョン装置」のような複数の閲覧者が利用する機器に入力画面が表示された場合には、入力結果が他人に見られやすいため、「テレビジョン装置」は入力画面の表示に適しているとは言い難い。また、例えば、「レコーダ」のような機器は入力画面を表示する機能を有していたとしても、入力操作を行いやすいとは言い難い。
【００７５】
そのため、例えば、他人に見られにくい個人用の機器であり、入力操作を行いやすい「スマートフォン」のような機器が入力画面の表示に適していると言える。入力画面の表示に適した機器情報は、あらかじめ登録されていてもよい。このように、入力画面の表示に適した機器が表示機器２０Ｂとして選択されれば、より適した表示機器に入力画面を表示させることが可能になる。
【００７６】
図１３は、第２の実施形態に係る選択部１１２が有する機能の一例を示す図である。特に、図１３には、選択部１１２が、複数の候補の中に起動中の表示機器が存在する場合、当該表示機器を表示機器２０Ｂとして選択する例について示されている。起動中の表示機器は、電源が投入されている表示機器であってもよいし、休止状態ではない表示機器であってもよい。
【００７７】
図１３に示した例では、表示機器２０Ｂ−１が「起動中」であり、表示機器２０Ｂ−２が「起動していない」状態であり、表示機器２０Ｂ−３が「起動していない」状態である。したがって、この例では、選択部１１２は、「起動中」である表示機器２０Ｂ−１を表示機器２０Ｂとして選択する。各表示機器が起動中であるか否かは、どのように判定されてもよい。例えば、起動中であるか否かを問い合わせるための要求に対して応答を行った表示機器が起動中であると判定してもよい。
【００７８】
このような選択がなされる理由は以下の通りである。すなわち、起動していない表示機器は、入力画面を表示することができないと考えられる。そのため、選択部１１２は、「起動中」である表示機器を表示機器２０Ｂとして選択すればよい。このように、起動中の表示機器が表示機器２０Ｂとして選択されれば、より適した表示機器に入力画面を表示させることが可能になる。
【００７９】
この他にも、選択部１１２による選択手法には様々な手法が想定される。例えば、選択部１１２は、複数の候補それぞれにおいて起動されているアプリケーションの情報に基づいて複数の候補から表示機器２０Ｂを選択してもよい。例えば、入力画面に対する入力結果を表示制御装置１０Ｂに送信する機能を有するアプリケーションが起動されていなければ、入力画面に対する入力がなされても、入力結果が表示制御装置１０Ｂに返信されない。
【００８０】
したがって、例えば、選択部１１２は、入力結果を表示制御装置１０Ｂに送信する機能を有するアプリケーションが起動されている表示機器を表示機器２０Ｂとして選択してもよい。選択部１１２は、例えば、そのような機能を有するアプリケーションをあらかじめ把握している場合には、当該アプリケーションが各表示機器において起動されているかを判定すればよい。
【００８１】
また、例えば、選択部１１２は、事前に設定された情報に基づいて複数の候補から表示機器２０Ｂを選択してもよい。例えば、表示機器２０Ｂとして表示機器２０Ｂ−１を事前に設定している場合には、選択部１１２は、この事前に設定された情報に基づいて、表示機器２０Ｂ−１を表示機器２０Ｂとして選択することができる。なお、複数の候補が存在する場合、当該複数の候補から１台の表示機器２０Ｂが選択されなくてもよい。例えば、当該複数の候補から複数の表示機器２０Ｂが選択されてもよいし、当該複数の候補すべてが表示機器２０Ｂとして選択されてもよい。
【００８２】
以上、選択部１１２が有する機能の例について説明した。続いて、第２の実施形態に係る表示制御装置１０Ｂの動作の流れについて説明する。
【００８３】
＜２−４．表示制御装置の動作例＞
図１４は、第２の実施形態に係る表示制御装置１０Ｂの動作の流れを示すフローチャートである。なお、図１４に示す動作は、第２の実施形態に係る表示制御装置１０Ｂの動作の一例を示したに過ぎないため、第２の実施形態に係る表示制御装置１０Ｂの動作の流れは、図１４に示した動作の流れに限定されない。
【００８４】
図１４に示すように、まず、判定部１１１は、表示対象画面を取得すると（Ｓ２１）、表示対象画面が入力画面であるか否かを判定する（Ｓ２２）。上記したように、入力画面は認証画面であってもよい。表示制御部１１３は、表示対象画面が入力画面ではないと判定された場合（Ｓ２２で「Ｎｏ」）、表示対象画面を表示機器２０Ａに通知する（Ｓ２３）。このように、表示対象画面を表示機器２０Ａに通知することによって、表示制御部１１３は、表示機器２０Ａにより表示対象画面が表示されるように制御することができる。
【００８５】
一方、選択部１１２は、表示対象画面が入力画面であると判定された場合（Ｓ２２で「Ｙｅｓ」）、複数の候補から表示機器２０Ｂを選択し（Ｓ２４）、表示対象画面と同一または異なる入力画面を表示するための表示指示を表示機器２０Ｂに通知する（Ｓ２５）。上記したように、表示指示は、表示対象画面自体であってもよいし、表示対象画面から抽出された入力エリアであってもよいし、他の指示であってもよい。このように、表示指示を表示機器２０Ｂに通知することによって、表示制御部１１３は、複数の候補から選択された表示機器２０Ｂにより表示対象画面と同一または異なる入力画面が表示されるように制御することができる。
【００８６】
処理実行部１１４は、表示機器２０Ａによって表示された表示対象画面または表示機器２０Ｂによって表示された入力画面に対する入力結果を取得すると（Ｓ２６）、入力結果に基づいて、処理を実行する（Ｓ２７）。上記したように、処理実行部１１４は、表示対象画面に対する入力結果と入力画面に対する入力結果との双方が取得された場合には、いずれか一方の入力結果を選択し、選択した入力結果に基づいて処理を実行してもよい。
【００８７】
以上に示したような動作によれば、表示機器２０Ａが入力画面以外の画面を表示する場合において、表示対象画面が入力画面である場合、複数の候補から選択された表示機器２０Ｂに表示対象画面と同一または異なる入力画面を表示させることが可能である。
【００８８】
以上、第２の実施形態について説明した。
【００８９】
＜３．むすび＞
以上説明したように、本開示の実施形態によれば、表示対象画面が入力画面であるか否かを判定する判定部と、前記表示対象画面が入力画面ではないと判定された場合、第１の表示機器により前記表示対象画面が表示されるように制御し、前記表示対象画面が入力画面であると判定された場合、前記第１の表示機器とは異なる第２の表示機器により前記表示対象画面と同一または異なる入力画面が表示されるように制御する表示制御部と、を備える、表示制御装置が提供される。
【００９０】
かかる構成によれば、入力画面を入力画面以外の画面を表示する表示機器とは異なる表示機器に表示させるための技術を実現することが可能である。
【００９１】
なお、添付図面を参照しながら本開示の好適な実施形態について詳細に説明したが、本開示の技術的範囲はかかる例に限定されない。本開示の技術分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【００９２】
また、本明細書の表示制御システム１の動作における各ステップは、必ずしもフローチャートとして記載された順序に沿って時系列に処理する必要はない。例えば、表示制御システム１の動作における各ステップは、フローチャートとして記載した順序と異なる順序で処理されても、並列的に処理されてもよい。
【００９３】
また、表示制御装置１０に内蔵されるＣＰＵ、ＲＯＭおよびＲＡＭなどのハードウェアを、上述した表示制御装置１０の構成と同等の機能を発揮させるためのコンピュータプログラムも作成可能である。また、該コンピュータプログラムを記憶させた記憶媒体も提供される。
【００９４】
同様に、表示機器２０に内蔵されるＣＰＵ、ＲＯＭおよびＲＡＭなどのハードウェアを、上述した表示機器２０の構成と同等の機能を発揮させるためのコンピュータプログラムも作成可能である。また、該コンピュータプログラムを記憶させた記憶媒体も提供される。
【００９５】
なお、以下のような構成も本開示の技術的範囲に属する。
（１）
表示対象画面が入力画面であるか否かを判定する判定部と、
前記表示対象画面が入力画面ではないと判定された場合、第１の表示機器により前記表示対象画面が表示されるように制御し、前記表示対象画面が入力画面であると判定された場合、前記第１の表示機器とは異なる第２の表示機器により前記表示対象画面と同一または異なる入力画面が表示されるように制御する表示制御部と、
を備える、表示制御装置。
（２）
前記判定部は、前記表示対象画面が認証情報を入力するための認証画面であるか否かを判定する、
前記（１）に記載の表示制御装置。
（３）
前記表示制御装置は、
前記第２の表示機器の候補が複数存在する場合、当該複数の候補から前記第２の表示機器を選択する選択部を備える、
前記（１）または（２）に記載の表示制御装置。
（４）
前記選択部は、前記第１の表示機器に関連付けられているユーザ識別情報と一致するユーザ識別情報に関連付けられている表示機器が存在する場合、当該表示機器を前記第２の表示機器として選択する、
前記（３）に記載の表示制御装置。
（５）
前記選択部は、事前に設定された情報に基づいて前記複数の候補から前記第２の表示機器を選択する、
前記（３）に記載の表示制御装置。
（６）
前記選択部は、前記複数の候補それぞれの機器情報に基づいて前記複数の候補から前記第２の表示機器を選択する、
前記（３）に記載の表示制御装置。
（７）
前記選択部は、前記複数の候補それぞれにおいて起動されているアプリケーションの情報に基づいて前記複数の候補から前記第２の表示機器を選択する、
前記（３）に記載の表示制御装置。
（８）
前記選択部は、前記複数の候補の中に起動中の表示機器が存在する場合、当該表示機器を前記第２の表示機器として選択する、
前記（３）に記載の表示制御装置。
（９）
前記表示制御部は、前記第２の表示機器において前記入力画面に対する入力を行うためのアプリケーションが起動されていない場合に、前記アプリケーションの起動を促すための情報が前記第２の表示機器に表示されるように制御する、
前記（１）〜（８）のいずれか一項に記載の表示制御装置。
（１０）
前記表示制御部は、前記表示対象画面が入力画面であると判定された場合、前記第１の表示機器への前記表示対象画面の表示を制限する、
前記（１）〜（９）のいずれか一項に記載の表示制御装置。
（１１）
前記表示制御部は、前記第２の表示機器において前記入力画面に対する入力がなされない時間が所定時間を超えた場合には、前記第１の表示機器に前記表示対象画面が表示されるように制御する、
前記（１０）に記載の表示制御装置。
（１２）
前記表示制御装置は、
前記第１の表示機器における前記表示対象画面または前記第２の表示機器における前記入力画面に対する入力結果に基づいて処理を実行する処理実行部を備える、
前記（１）〜（１１）のいずれか一項に記載の表示制御装置。
（１３）
前記表示制御部は、前記入力画面を表示するための指示を前記第２の表示機器に対して通知することによって、前記第２の表示機器により前記入力画面が表示されるように制御する、
前記（１）〜（１２）のいずれか一項に記載の表示制御装置。
（１４）
前記表示制御部は、前記入力画面を表示するための指示として前記表示対象画面を前記第２の表示機器に対して通知する、
前記（１３）に記載の表示制御装置。
（１５）
前記表示制御部は、前記表示対象画面に存在する入力エリアを抽出し、前記入力画面を表示するための指示として前記入力エリアを前記第２の表示機器に対して通知する、
前記（１３）に記載の表示制御装置。
（１６）
表示対象画面が入力画面であるか否かを判定することと、
前記表示対象画面が入力画面ではないと判定された場合、第１の表示機器により前記表示対象画面が表示されるように制御し、前記表示対象画面が入力画面であると判定された場合、前記第１の表示機器とは異なる第２の表示機器により前記表示対象画面と同一または異なる入力画面が表示されるように制御することと、
を含む、表示制御方法。
（１７）
コンピュータを、
表示対象画面が入力画面であるか否かを判定する判定部と、
前記表示対象画面が入力画面ではないと判定された場合、第１の表示機器により前記表示対象画面が表示されるように制御し、前記表示対象画面が入力画面であると判定された場合、前記第１の表示機器とは異なる第２の表示機器により前記表示対象画面と同一または異なる入力画面が表示されるように制御する表示制御部と、
を備える表示制御装置として機能させるためのプログラム。
（１８）
表示対象画面が入力画面であると表示制御装置により判定された場合、前記表示制御装置から前記表示対象画面と同一または異なる入力画面を表示するための指示を受信する受信部と、
前記受信部により前記入力画面を表示するための指示が受信された場合、前記入力画面を表示する表示部と、
を備える、表示機器。
【符号の説明】
【００９６】
１（１Ａ，１Ｂ）  表示制御システム
１０（１０Ａ，１０Ｂ）  表示制御装置
２０（２０Ａ，２０Ｂ）  表示機器
３０    ネットワーク
１１０（１１０Ａ，１１０Ｂ）  制御部
１１１  判定部
１１２  選択部
１１３  表示制御部
１１４  処理実行部
１２０  通信部
１３０  記憶部
２１０  制御部
２２０  入力部
２３０  通信部
２４０  記憶部
２５０  表示部
２５１  入力画面
２５２  入力エリア
２５３  入力画面
２５４  入力エリア
【図１】
2013210867.tif 000003
【図２】
2013210867.tif 000004
【図３】
2013210867.tif 000005
【図４】
2013210867.tif 000006
【図５】
2013210867.tif 000007
【図６】
2013210867.tif 000008
【図７】
2013210867.tif 000009
【図８】
2013210867.tif 000010
【図９】
2013210867.tif 000011
【図１０】
2013210867.tif 000012
【図１１】
2013210867.tif 000013
【図１２】
2013210867.tif 000014
【図１３】
2013210867.tif 000015
【図１４】
2013210867.tif 000016